(57)【要約】【課題】利用者の入力の負荷を減らすことができるナビゲーション装置およびプログラムを提供する。【解決手段】一方のナビゲーション装置１０においては、装置本体から挿脱可能な記憶媒体２０の取り出しが指示された場合に、ユーザが設定した目的地情報および記憶媒体２０の識別情報をデータ記憶部３０に記憶する。他方のナビゲーション装置４０においては、装置本体から挿脱可能な記憶媒体２０から当該記憶媒体２０の識別情報を取得し、取得した記憶媒体２０の識別情報に基づき、データ記憶部３０から目的地情報を取得する。これにより、一方のナビゲーション装置１０においてユーザが設定した目的地情報を挿脱可能な記憶媒体２０を介して他方のナビゲーション装置４０に知らせることができるので、利用者の入力の負荷を減らすことができる。【選択図】        図７
2009300370.tif 000002
【特許請求の範囲】
【請求項１】
現在位置を地図上に表示して目的地までの経路を案内するナビゲーション装置において、
装置本体から挿脱可能な記憶媒体から当該記憶媒体の識別情報を取得する識別情報取得手段と、
前記記憶媒体の取り出しが指示された場合に、ユーザが設定した目的地情報および前記記憶媒体の識別情報をデータ記憶部に記憶する識別情報記憶手段と、
を備えることを特徴とするナビゲーション装置。
【請求項２】
現在位置を地図上に表示して目的地までの経路を案内するナビゲーション装置において、
装置本体から挿脱可能な記憶媒体から当該記憶媒体の識別情報を取得する第１情報取得手段と、
前記第１情報取得手段で取得した前記記憶媒体の識別情報に基づき、前記記憶媒体の識別情報とユーザが設定した目的地情報とを対応付けて記憶するデータ記憶部から前記目的地情報を取得する第２情報取得手段と、
を備えることを特徴とするナビゲーション装置。
【請求項３】
前記データ記憶部の住所および前記記憶媒体の識別情報を他のナビゲーション装置に対してＥメールで送信するメール送信手段を更に備える、
ことを特徴とする請求項２記載のナビゲーション装置。
【請求項４】
他のナビゲーション装置からＥメールで送信された前記データ記憶部の住所および前記記憶媒体の識別情報を受信するメール受信手段と、
前記データ記憶部の住所に基づいて前記データ記憶部にアクセスし、前記記憶媒体の識別情報に基づいて前記目的地情報を取得する第３情報取得手段と、
を備えることを特徴とする請求項２または３記載のナビゲーション装置。
【請求項５】
現在位置を地図上に表示して目的地までの経路を案内するナビゲーション装置を制御するコンピュータを、
装置本体から挿脱可能な記憶媒体から当該記憶媒体の識別情報を取得する識別情報取得手段と、
前記記憶媒体の取り出しが指示された場合に、ユーザが設定した目的地情報および前記記憶媒体の識別情報をデータ記憶部に記憶する識別情報記憶手段と、
として機能させることを特徴とするプログラム。
【請求項６】
現在位置を地図上に表示して目的地までの経路を案内するナビゲーション装置を制御するコンピュータを、
装置本体から挿脱可能な記憶媒体から当該記憶媒体の識別情報を取得する第１情報取得手段と、
前記第１情報取得手段で取得した前記記憶媒体の識別情報に基づき、前記記憶媒体の識別情報とユーザが設定した目的地情報とを対応付けて記憶するデータ記憶部から前記目的地情報を取得する第２情報取得手段と、
として機能させることを特徴とするプログラム。
【発明の詳細な説明】
【技術分野】
【０００１】
本発明は、ナビゲーション装置およびプログラムに関する。
【背景技術】
【０００２】
ＧＰＳ（Global Positioning System：全地球測位システム）等によって自動車等の車両の走行位置を検出し、現在位置を道路地図上に表示して、出発地から目的地までの経路を案内するナビゲーションシステムが考案されている（例えば、特許文献１参照）。
【０００３】
このようなナビゲーションシステムによれば、目的地までの経路が未知の場合において、自動車に設置されたナビゲーションシステムに目的地を設定した後、ナビゲーションシステムにより案内される経路にしたがって目的地に向うことができる。
【０００４】
また、近年においては、徒歩による目的地までの経路が未知の場合においても、携帯電話等に内蔵されたナビゲーションシステムに目的地を設定した後、ナビゲーションシステムにより案内される経路にしたがって目的地に向うことが可能になっている。
【０００５】
すなわち、自動車と徒歩で目的地に向う場合には、まず、自動車に設置されたナビゲーションシステムに経由地を設定する。そして、自動車で経由地に到着後、携帯電話等に内蔵されたナビゲーションシステムに目的地を設定した後、ナビゲーションシステムの案内経路に従って徒歩で目的地に向うことになる。
【０００６】
【特許文献１】特開２００５−１３４３５２号公報
【発明の開示】
【発明が解決しようとする課題】
【０００７】
しかしながら、自動車と徒歩で目的地に向う場合においては、上述したように、自動車に設置されたナビゲーションシステムと携帯電話等に内蔵されたナビゲーションシステムとの両方に目的地（経由地）を設定しなければならない。このような設定作業を２度も行うことは、利用者にとって非常に煩わしいものとなっている。
【０００８】
本発明は、上記に鑑みてなされたものであって、利用者の入力の負荷を減らすことができるナビゲーション装置およびプログラムを提供することを目的とする。
【課題を解決するための手段】
【０００９】
上述した課題を解決し、目的を達成するために、請求項１にかかる発明は、現在位置を地図上に表示して目的地までの経路を案内するナビゲーション装置において、装置本体から挿脱可能な記憶媒体から当該記憶媒体の識別情報を取得する識別情報取得手段と、前記記憶媒体の取り出しが指示された場合に、ユーザが設定した目的地情報および前記記憶媒体の識別情報をデータ記憶部に記憶する識別情報記憶手段と、を備えることを特徴とする。
【００１０】
また、請求項２にかかる発明は、現在位置を地図上に表示して目的地までの経路を案内するナビゲーション装置において、装置本体から挿脱可能な記憶媒体から当該記憶媒体の識別情報を取得する第１情報取得手段と、前記第１情報取得手段で取得した前記記憶媒体の識別情報に基づき、前記記憶媒体の識別情報とユーザが設定した目的地情報とを対応付けて記憶するデータ記憶部から前記目的地情報を取得する第２情報取得手段と、を備えることを特徴とする。
【００１１】
また、請求項３にかかる発明は、請求項２記載のナビゲーション装置において、前記データ記憶部の住所および前記記憶媒体の識別情報を他のナビゲーション装置に対してＥメールで送信するメール送信手段を更に備える、ことを特徴とする。
【００１２】
また、請求項４にかかる発明は、請求項２または３記載のナビゲーション装置において、他のナビゲーション装置からＥメールで送信された前記データ記憶部の住所および前記記憶媒体の識別情報を受信するメール受信手段と、前記データ記憶部の住所に基づいて前記データ記憶部にアクセスし、前記記憶媒体の識別情報に基づいて前記目的地情報を取得する第３情報取得手段と、を備えることを特徴とする。
【００１３】
また、請求項５にかかる発明のプログラムは、現在位置を地図上に表示して目的地までの経路を案内するナビゲーション装置を制御するコンピュータを、装置本体から挿脱可能な記憶媒体から当該記憶媒体の識別情報を取得する識別情報取得手段と、前記記憶媒体の取り出しが指示された場合に、ユーザが設定した目的地情報および前記記憶媒体の識別情報をデータ記憶部に記憶する識別情報記憶手段と、として機能させることを特徴とする。
【００１４】
また、請求項６にかかる発明のプログラムは、現在位置を地図上に表示して目的地までの経路を案内するナビゲーション装置を制御するコンピュータを、装置本体から挿脱可能な記憶媒体から当該記憶媒体の識別情報を取得する第１情報取得手段と、前記第１情報取得手段で取得した前記記憶媒体の識別情報に基づき、前記記憶媒体の識別情報とユーザが設定した目的地情報とを対応付けて記憶するデータ記憶部から前記目的地情報を取得する第２情報取得手段と、として機能させることを特徴とする。
【発明の効果】
【００１５】
本発明によれば、一方のナビゲーション装置においては、装置本体から挿脱可能な記憶媒体の取り出しが指示された場合に、ユーザが設定した目的地情報および記憶媒体の識別情報をデータ記憶部に記憶する。他方のナビゲーション装置においては、装置本体から挿脱可能な記憶媒体から当該記憶媒体の識別情報を取得し、取得した記憶媒体の識別情報に基づき、データ記憶部から目的地情報を取得する。これにより、一方のナビゲーション装置においてユーザが設定した目的地情報を挿脱可能な記憶媒体を介して他方のナビゲーション装置に知らせることができるので、例えば自動車と徒歩で目的地に向う場合において、自動車から降りて徒歩に切り替える経由地に到着したところで一方のナビゲーション装置から記憶媒体を取り外して他方のナビゲーション装置に挿入するだけで、他方のナビゲーション装置に目的地情報を設定することができ、従来は自動車に設置されたナビゲーション装置と携帯可能なナビゲーション装置の両方に目的地（経由地）を設定しなければならなかったのに比べて、一方のナビゲーション装置に目的地を設定すれば、記憶媒体の挿脱作業のみで他方のナビゲーション装置にも目的地を設定することができるので、利用者の入力の負荷を減らすことができる、という効果を奏する。
【発明を実施するための最良の形態】
【００１６】
以下に添付図面を参照して、この発明にかかるナビゲーション装置およびプログラムの最良な実施の形態を詳細に説明する。
【００１７】
本発明の実施の一形態を図１ないし図９に基づいて説明する。図１は、本発明の実施の一形態にかかる位置情報確認システムの概要を示すブロック図である。図１に示すように、本実施の形態の位置情報確認システムは、ナビゲーション装置であるカーナビゲーション装置１０と、データ記憶部であるサーバ３０と、携帯可能なナビゲーション装置である携帯電話４０とが、ネットワーク５０で接続された構成となっている。なお、携帯可能なナビゲーション装置としては携帯電話４０に限るものではなく、ＰＨＳや携帯型のナビゲーション装置などであっても良い。
【００１８】
ネットワーク５０は、例えばＷｉＭＡＸ（Worldwide Interoperability for Microwave Access）に準拠した無線ネットワークによって構成できる。ＷｉＭＡＸは、高速で長い距離を伝送できる無線通信技術であり、数ｋｍから数十ｋｍまでの範囲で使用可能である。
【００１９】
カーナビゲーション装置１０は、概略的には、ＧＰＳ（Global Positioning System：全地球測位システム）等によって自動車等の車両の走行位置を検出し、現在位置を道路地図上に表示して、出発地から目的地までの経路を案内するものである。カーナビゲーション装置１０は、各種アプリケーションプログラム、サーバ３０の接続先ＵＲＬ、識別情報などの情報を記憶するＵＩＭ（User Identity Module）２０を装置本体に対して挿脱することができる。なお、カーナビ１０に対して挿脱可能な記憶媒体はＵＩＭ２０に限られず、ＩＣカード、ＳＤカードなどのあらゆる記憶媒体を用いることができる。
【００２０】
携帯電話４０もカーナビゲーション装置１０と同様に、ＧＰＳ等によって電話利用者の位置を検出し、現在位置を道路地図上に表示して、出発地から目的地までの経路を案内するものである。携帯電話４０もカーナビゲーション装置１０と同様に、ＵＩＭ２０を装置本体に対して挿脱することができる。
【００２１】
サーバ３０は、ネットワーク５０を介してカーナビゲーション装置１０または携帯電話４０から送信されるＵＩＭ２０の識別情報、目的地情報、目的地情報の識別情報を記憶する。
【００２２】
次に、カーナビゲーション装置１０、サーバ３０および携帯電話４０の構成および機能の詳細について説明する。
【００２３】
まず、カーナビゲーション装置１０について詳述する。ここで、図２はカーナビゲーション装置１０の構成を示すブロック図、図３は自動車内に設置されたカーナビゲーション装置１０の概観斜視図である。
【００２４】
図２および図３に示すように、カーナビゲーション装置１０は、主なハードウェア構成として、入力部１０１と、ＧＰＳアンテナ１０２と、ＧＰＳ受信部１０３と、車両センサ１０４と、ＲＡＭ（Random Access Memory）１０５と、通信部１０６と、通信制御部１０７と、記憶部１０８と、ＵＩＭスロット１０９と、ＣＰＵ（Central Processing Unit）１１０と、音声出力制御部１１１と、スピーカ１１２と、描画プロセッサ１１３と、ＶＲＡＭ（Video Random Access Memory）１１４と、表示部１１５と、を備えている。
【００２５】
入力部１０１は、カーナビゲーション装置１０に対する操作を入力するタッチパネル、リモコンなどである。ＧＰＳアンテナ１０２は、ＧＰＳ衛星からの電波を受信する。ＧＰＳ受信部１０３は、ＧＰＳアンテナ１０２が受信した電波から、カーナビゲーション装置１０が搭載された車両の現在位置を計測する。車両センサ１０４は、車両の速度を計測する速度センサ、車両の傾きを計測するジャイロセンサなどである。
【００２６】
ＲＡＭ１０５は、ナビゲーション処理で用いる各種データを記憶する。ＲＡＭ１０５は、データを一時的に記憶するＤＲＡＭ（Dynamic Random Access Memory）、および電源が切られた場合にもデータを保持可能なフラッシュメモリなどを含む。
【００２７】
通信部１０６は、ネットワーク５０を介してサーバ３０などの外部装置との間で無線通信を行う。本実施の形態では、通信部１０６は、ＷｉＭＡＸに準拠した方法で無線通信を実行するが、他の方法で通信するように構成してもよい。例えば、携帯電話を通信部１０６として利用し、当該携帯電話が使用する通信方法で通信するように構成してもよい。通信制御部１０７は、ＣＰＵ１１０からの指示にしたがい通信部１０６による無線通信を制御する。
【００２８】
記憶部１０８は、アプリケーションプログラムや地図情報などのナビゲーション処理に必要な情報を記憶する。記憶部１０８は、ＨＤＤ（Hard Disk Drive）、光ディスク、メモリカード、ＲＡＭ（Random Access Memory）などの一般的に利用されているあらゆる記憶媒体により構成することができる。
【００２９】
ＵＩＭスロット１０９は、小型の携帯型デバイス（ＩＣカード）であるＵＩＭ２０を装置本体に対して挿脱可能な挿脱部である。ＵＩＭ２０がＵＩＭスロット１０９に挿入されることにより、ＵＩＭ２０がカーナビゲーション装置１０に装着される。
【００３０】
ＣＰＵ１１０は、カーナビゲーション装置１０の全体の動作を制御する。例えば、ＣＰＵ１１０は、記憶部１０８から各種アプリケーションプログラムを読み出して実行する処理を制御する。
【００３１】
音声出力制御部１１１は、ＣＰＵ１１０からの指示にしたがい、スピーカ１１２による音声出力処理を制御する。スピーカ１１２は、音声出力制御部１１１から入力された信号を音声として出力する。
【００３２】
描画プロセッサ１１３は、ＣＰＵ１１０からの指示にしたがい、指定された画像データを表示する処理を制御する。ＶＲＡＭ１１４は、表示する画像データを記憶する。表示部１１５は、描画プロセッサ１１３からの指示にしたがい画像データを表示する。
【００３３】
次に、携帯電話４０について説明する。図４は、携帯電話４０の概略構成を示す正面図である。なお、図４に示したような携帯電話４０の構成は一例であって、本発明を実現できる構成であれば、これに限定されるものではない。
【００３４】
ロッドアンテナ４０２は、無線電話に用いるアンテナであって、通常の携帯電話が備えるものである。
【００３５】
携帯電話４０の筐体４０１の片面には、カラー液晶ディスプレイなどにより種々の情報を表示する表示部４０４が設けられている。表示部４０４と同一平面には、キーパッドや動作選択ボタン等が配列された入力部４０５が備えられていて、電源のオン−オフ、表示選択や動作決定、あるいは文字入力等が可能となっている。これらは、通常の携帯電話の機能と同様のものである。なお、特に図示しないが、当然のことながら、携帯電話４０にはマイクやスピーカなどの携帯電話に必要な様々な要素が備わっている。
【００３６】
加えて、携帯電話４０は、ＵＩＭ２０を装置本体に対して挿脱自在に内蔵することができる。
【００３７】
ここで、図５は携帯電話４０の構成を示すブロック図である。図５に示すように、携帯電話４０には、挿脱自在に内蔵されるＵＩＭ２０と、携帯電話機能、Ｅメール送受信機能、インターネット閲覧機能などを発揮する携帯電話モジュール４１０と、表示部４０４と、入力部４０５と、通信用アンテナ４０３とが備えられている。携帯電話モジュール４１０には、各種のデータを記憶するメモリ４１１が備えられている。
【００３８】
通信用アンテナ４０３は、電話用のロッドアンテナ４０２とは別に、例えばＷｉＭＡＸであるネットワーク５０に接続するためのアンテナである。携帯電話４０は、通信用アンテナ４０３により、携帯電話の通常の無線通信とは異なる高速かつ長距離の無線通信を行う。
【００３９】
加えて、携帯電話４０には、ＧＰＳ受信部４５０が搭載されている。ＧＰＳ受信部４５０は、ＧＰＳ衛星からの電波を定期的に受信し、携帯電話４０自体の現在位置を計測することにより、位置情報を検出することができる。より詳細には、携帯電話４０のＧＰＳ受信部４５０は、少なくとも３個のＧＰＳ衛星から乱数記号で変調された形の電波を受信し、ＧＰＳ衛星とＧＰＳ受信部４５０との時間差を計測して位置情報を把握する。
【００４０】
携帯電話４０に挿脱自在に内蔵されるＵＩＭ２０のＩＣチップ２０１には、アプリケーションプログラムが格納されるアプリケーション部４２０と、アプリケーション部４２０の実行を制御するアプリケーションコントローラ部４３０と、アプリケーション部４２０に格納されるアプリケーションプログラムを実行する際に用いる各種データを格納するデータ記憶部４４０が備えられている。ＵＩＭ２０のデータ記憶部４４０には、識別情報４４１が記憶されている。
【００４１】
本実施の形態においては、ＩＣチップ２０１のアプリケーション部４２０に格納されるアプリケーションプログラムとして、携帯電話４０をナビゲーション装置として使用するためのアプリケーションプログラムが格納されている。
【００４２】
次に、サーバ３０の構成について説明する。図６は、サーバ３０のハードウェア構成図である。図６に示すように、サーバ３０は、情報処理を行うＣＰＵ２１などの制御装置と、ＢＩＯＳなどを記憶した読出し専用メモリであるＲＯＭ（Read Only Memory）２２や各種データを書換え可能に記憶するＲＡＭ２３などの記憶装置と、ネットワーク５０を介して外部の他のコンピュータなどと通信により情報を伝達するための通信Ｉ／Ｆ２４と、各種データベースとして機能するとともに各種のアプリケーションプログラムを記憶する記憶部であるＨＤＤ（Hard Disk Drive）２５と、ＣＤ（Compact Disc）ドライブ装置などの外部記憶装置２６と、処理経過や結果等を操作者に表示するＬＣＤ（Liquid Crystal Display）等の表示装置２７と、操作者がＣＰＵ２１に命令や情報等を入力するためのキーボードやマウスなどの入力装置２８と、各部を接続するバス２９を備えており、通常のコンピュータを利用したハードウェア構成となっている。
【００４３】
次に、本実施の形態の特長的な処理について以下に説明する。
【００４４】
図７は、位置情報確認システムの機能構成を示すブロック図である。図７に示すように、カーナビゲーション装置１０は、ＣＰＵ１１０が記憶部１０８に記憶されているアプリケーションプログラムに従って動作することにより、識別情報取得部５０１と、ナビゲーション処理部５０２と、を実現する。
【００４５】
識別情報取得部５０１は、識別情報取得手段として機能するものであって、ＵＩＭ２０のデータ記憶部４４０に記憶された識別情報４４１を取得する。
【００４６】
ナビゲーション処理部５０２は、入力部１０１を介してユーザが設定した「目的地情報」に対して、ＧＰＳ受信部１０３により車両の現在位置を計測し、現在位置を道路地図上に表示して、出発地から目的地までの経路を案内する。
【００４７】
識別情報記憶部５０３は、識別情報記憶手段として機能するものであって、ＵＩＭ２０の取り出しが指示された場合に、ユーザが設定した目的地情報およびＵＩＭ２０の識別情報４４１をサーバ３０に記憶する。
【００４８】
図７に示すように、サーバ３０は、ＣＰＵ２１がＨＤＤ２５に記憶されているアプリケーションプログラムに従って動作することにより、情報登録部５１１を実現する。
【００４９】
情報登録部５１１は、カーナビゲーション装置１０からネットワーク５０を介して送信されたＵＩＭ２０の識別情報４４１および目的地の識別情報を付した「目的地情報」を、ＨＤＤ２５に形成されたテーブル５１２に登録する。図８は、テーブル５１２のデータ構成を示す模式図である。
【００５０】
また、図７に示すように、携帯電話４０は、アプリケーションコントローラ部４３０がＵＩＭ２０のアプリケーション部４２０に記憶されているアプリケーションプログラムに従って動作することにより、第１情報取得部５２１と、第２情報取得部５２２と、ナビゲーション処理部５２３とを実現する。
【００５１】
第１情報取得部５２１は、第１情報取得手段として機能するものであって、ＵＩＭ２０のデータ記憶部４４０に記憶された識別情報４４１を取得する。
【００５２】
第２情報取得部５２２は、第２情報取得手段として機能するものであって、ネットワーク５０を介してサーバ３０にアクセスし、第１情報取得部５２１で取得した識別情報４４１に基づいて「目的地情報」を取得する。
【００５３】
ナビゲーション処理部５２３は、入力部４０５を介してユーザが設定した「目的地情報」に対して、ＧＰＳ受信部４５０により携帯電話４０の現在位置を計測し、現在位置を道路地図上に表示して、出発地から目的地までの経路を案内する。
【００５４】
次に、このように構成された本実施の形態の位置情報確認システムによるナビゲーション処理について図９を用いて説明する。図９は、位置情報確認システムによるナビゲーション処理の全体の流れを示すシーケンス図である。図９に示す例は、自動車及び徒歩（または、電車など）により目的地へ向う場合を示したものである。
【００５５】
なお、ＵＩＭ２０には、ＷｉＭＡＸに準拠したネットワーク５０に接続するためのアプリケーションプログラム、ＷｉＭＡＸネットワークの認証に用いる鍵情報または証明書などの認証データが記憶されているものとする。
【００５６】
まず、ユーザがＵＩＭ２０をカーナビゲーション装置１０のＵＩＭスロット１０９に挿入したことが検知されると（ステップＳ１００１）、カーナビゲーション装置１０の識別情報取得部５０１は、ＵＩＭ２０のデータ記憶部４４０に記憶された識別情報４４１を取得する（ステップＳ１００２）。
【００５７】
次いで、カーナビゲーション装置１０のナビゲーション処理部５０２は、入力部１０１を介してユーザが設定した「目的地情報」に対して、ＧＰＳ受信部１０３により車両の現在位置を計測し、現在位置を道路地図上に表示して、出発地から目的地までの経路を案内する（ステップＳ１００３）。
【００５８】
そして、カーナビゲーション装置１０のナビゲーション処理部５０２は、自動車から降りて徒歩に切り替える経由地に到着したところで、ユーザが入力部１０１を介してＵＩＭ２０の取り外しを指示したことを検出すると（ステップＳ１００４）、ユーザが設定した「目的地情報」およびＵＩＭ２０の識別情報４４１を、ネットワーク５０を介してサーバ３０に対して送信する（ステップＳ１００５）。
【００５９】
サーバ３０の情報登録部５１１は、カーナビゲーション装置１０からネットワーク５０を介して送信されたＵＩＭ２０の識別情報４４１およびユーザが設定した「目的地情報」を、ＨＤＤ２５に形成されたテーブル５１２に登録する（ステップＳ１００６）。
【００６０】
次いで、自動車から降りて徒歩（または、電車など）に切り替えたユーザがＵＩＭ２０を携帯電話４０に挿入したことを検知すると（ステップＳ１００７）、アプリケーション部４２０に格納されたアプリケーションプログラムが起動され（ステップＳ１００８）、携帯電話４０の第１情報取得部５２１は、アプリケーションプログラムに従ってＵＩＭ２０の識別情報４４１を取得する（ステップＳ１００９）。また、携帯電話４０の第２情報取得部５２２は、アプリケーションプログラムに従って、ネットワーク５０を介してサーバ３０にアクセスし、ステップＳ１００９で取得したＵＩＭ２０の識別情報４４１に基づいて「目的地情報」を取得する（ステップＳ１０１０）。
【００６１】
そして、携帯電話４０のナビゲーション処理部５２３は、ＧＰＳ受信部４５０によって現在位置を計測して「現在位置情報」を取得し（ステップＳ１０１１）、取得した「目的地情報」および「現在位置情報」に基づいて目的地までの経路を案内する（ステップＳ１０１２）。
【００６２】
このように本実施の形態によれば、カーナビゲーション装置１０においては、装置本体から挿脱可能なＵＩＭ２０の取り出しが指示された場合に、ユーザが設定した目的地情報およびＵＩＭ２０の識別情報４４１をサーバ３０に記憶する。一方、携帯電話４０においては、装置本体から挿脱可能なＵＩＭ２０から当該ＵＩＭ２０の識別情報４４１を取得し、取得したＵＩＭ２０の識別情報４４１に基づき、サーバ３０から目的地情報を取得する。これにより、カーナビゲーション装置１０においてユーザが設定した目的地情報を挿脱可能なＵＩＭ２０を介して携帯電話４０に知らせることができるので、例えば自動車と徒歩で目的地に向う場合において、自動車から降りて徒歩に切り替える経由地に到着したところでカーナビゲーション装置１０からＵＩＭ２０を取り外して携帯電話４０に挿入するだけで、携帯電話４０に目的地情報を設定することができ、従来は自動車に設置されたカーナビゲーション装置１０と携帯電話４０の両方に目的地（経由地）を設定しなければならなかったのに比べて、カーナビゲーション装置１０に目的地を設定すれば、ＵＩＭ２０の挿脱作業のみで携帯電話４０にも目的地を設定することができるので、利用者の入力の負荷を減らすことができる。
【００６３】
なお、上述したＵＩＭ２０を他人の携帯電話４０に挿入した場合であっても、上述の処理を同様の処理を実行することが可能である。
【００６４】
また、本実施の形態においては、自動車と徒歩で目的地に向う場合において、自動車から降りて徒歩に切り替える経由地に到着したところでカーナビゲーション装置１０からＵＩＭ２０を取り外して携帯電話４０に挿入することについて説明したが、これに限るものではない。例えば、徒歩で経由地（例えば、レンタカーの営業所）に到着したところで携帯電話４０からＵＩＭ２０を取り外してカーナビゲーション装置１０に挿入するようにしても良い。この場合、図１０に示すように、携帯電話４０は、アプリケーションコントローラ部４３０がＵＩＭ２０のアプリケーション部４２０に記憶されているアプリケーションプログラムに従って動作することにより、識別情報取得部５０１と、ナビゲーション処理部５０２と、識別情報記憶部５０３とを実現する。一方、カーナビゲーション装置１０は、ＣＰＵ１１０が記憶部１０８に記憶されているアプリケーションプログラムに従って動作することにより、第１情報取得部５２１と、第２情報取得部５２２と、ナビゲーション処理部５２３とを実現する。
【００６５】
なお、図１１に示すように、自動車から降りて徒歩（または、電車など）に切り替えたユーザがＵＩＭ２０を携帯電話４０に挿入したことを検知すると（ステップＳ１００７）、アプリケーションプログラムが起動され（ステップＳ１００８）、携帯電話４０の情報取得部５２１は、専用アプリケーションプログラムに従ってＥメールを作成し（ステップＳ１０１３）、ＵＩＭ２０の識別情報４４１を取得し（ステップＳ１０１４）、友人が保持している他の携帯電話４０に対し、サーバ３０のＵＲＬ及びＵＩＭ２０の識別情報４４１をＥメールで送信する（ステップＳ１０１５）、ようにしても良い。ここに、メール送信手段の機能が実現されている。
【００６６】
Ｅメールを受け取った友人が保持している他の携帯電話４０側においては、専用のアプリケーションがダウンロードされていることを条件として、アプリケーションプログラムを起動し（ステップＳ１０１６）、Ｅメールで送信されたサーバ３０のＵＲＬに基づいてネットワーク５０を介してサーバ３０にアクセスし、Ｅメールで送信されたＵＩＭ２０の識別情報４４１に基づいて「目的地情報」を取得する（ステップＳ１０１７）。ここに、メール受信手段の機能および第３情報取得手段の機能が実現されている。
【００６７】
そして、友人が保持している他の携帯電話４０のナビゲーション処理部５２３は、ＧＰＳ受信部４５０によって現在位置を計測して「現在位置情報」を取得し（ステップＳ１０１８）、取得した「目的地情報」および「現在位置情報」に基づいて目的地までの経路を案内する（ステップＳ１０１９）。
【００６８】
これにより、複数人で同じ目的地を共有することを可能とすることができるので、他人と別行動で同じ目的地へ移動する場合も、お互いに正しい目的地へ集合することができるようになる。
【図面の簡単な説明】
【００６９】
【図１】本発明の実施の一形態にかかる位置情報確認システムの概要を示すブロック図である。
【図２】カーナビゲーション装置の構成を示すブロック図である。
【図３】カーナビゲーション装置の概観斜視図である。
【図４】携帯電話の概略構成を示す正面図である。
【図５】携帯電話の構成を示すブロック図である。
【図６】サーバのハードウェア構成図である。
【図７】位置情報確認システムの機能構成を示すブロック図である。
【図８】テーブルのデータ構成を示す模式図である。
【図９】位置情報確認システムによるナビゲーション処理の全体の流れを示すシーケンス図である。
【図１０】位置情報確認システムの機能構成の変形例を示すブロック図である。
【図１１】位置情報確認システムによるナビゲーション処理の全体の流れを示すシーケンス図である。
【符号の説明】
【００７０】
１０，４０    ナビゲーション装置
２０      記憶媒体
３０      データ記憶部
４４１    記憶媒体の識別情報
５０１    識別情報取得手段
５０２    識別情報記憶手段
５２１    第１情報取得手段
５２２    第２情報取得手段
【図１】
2009300370.tif 000003
【図２】
2009300370.tif 000004
【図３】
2009300370.tif 000005
【図４】
2009300370.tif 000006
【図５】
2009300370.tif 000007
【図６】
2009300370.tif 000008
【図７】
2009300370.tif 000009
【図８】
2009300370.tif 000010
【図９】
2009300370.tif 000011
【図１０】
2009300370.tif 000012
【図１１】
2009300370.tif 000013